(57)【要約】  コード化したロックアセンブリを導入し、保護領域へのアクセスを制御するのに使用される既存のコード化したロックを向上させる。本ロックアセンブリは、前方部内部に複数のマイクロスイッチを含み、この前方部は、ロックアセンブリの後方部にあるプッシュボタンによって押すことができる。ロックアセンブリをアンロックするため、使用者は外部駆動ハンドルを適切な位置にまで回してからプッシュボタンを押す。ハンドルの所定の文字列を回し、プッシュボタンを押してロックを解除する。
2013527342.tif 000002
【特許請求の範囲】
【請求項１】
ロックアセンブリ（１０）であって、
（ｉ）プッシュボタン（４８）および
（ｉｉ）外部駆動ハンドル（４４）を含み、前記外部駆動ハンドル（４４）が前記プッシュボタンの周囲の回転運動に適合している
（ａ）前方部サブアセンブリ（２０）と、
（ｉ）シリンダ錠形状のケーシング（５４）および
（ｉｉ）前記シリンダ錠形状のケーシング（５４）に対する回転運動に適合しているスプロケットホイール（６６）を含み、かつ、前記前方部サブアセンブリ（２０）に対して作動可能に連結している
（ｂ）中間部サブアセンブリ（３０）と、
（ｉ）ハウジング（５８）、
（ｉｉ）前記ハウジング（５８）内部に取り付けるプリント基板（８０）および
（ｉｉｉ）前記ハウジング内部（５８）に取り付ける電気モータ（８６）を含み、かつ、前記中間部サブアセンブリ（３０）に対して作動可能に連結している
（ｃ）後方部サブアセンブリ（４０）と
を備えるロックアセンブリ（１０）。
【請求項２】
前記中間部サブアセンブリ（３０）はさらに、
（ｉｉｉ）前記外部駆動ハンドル（４４）からのトルクを転送して前記スプロケットホイール（６６）を回転させるためのスプロケットホイールシリンダであって、前記シリンダ錠形状のケーシング（５４）内部に少なくとも部分的に取り付けるスプロケットホイールシリンダ（１２０）と、
（ｉｖ）前記外部駆動ハンドルからの回転トルクを転送する位置セレクタ（１１０）の多角形凹部であって、前記シリンダ錠形状のケーシング（５４）内に少なくとも部分的に取り付ける位置セレクタ（１１０）の前記多角形凹部と
を備える、請求項１に記載のロックアセンブリ（１０）。
【請求項３】
前記後方部サブアセンブリ（４０）はさらに、
（ｉｖ）回転トルクを転送し、直線力を転送するロッド（９４）であって、前記ハウジング（５８）内部に部分的に取り付けるロッド（９４）と、
（ｖ）前記ロッド（９４）に配置するマイクロスイッチつまみ（９２）と、
（ｖｉ）前記プリント基板（８０）に配置する少なくとも１つのマイクロスイッチ（８２）と
を備える、請求項１に記載のロックアセンブリ（１０）。
【請求項４】
前記後方部サブアセンブリ（４０）はさらに、
（ｖｉｉ）前記電気モータ（８６）に作動可能に連結するカム（８８）と、
（ｖｉｉｉ）前記電気モータ（８６）に作動可能に連結する電源（９０）と、
（ｉｘ）前記ロッド（９４）に配置する中空シリンダ（９８）と、
（ｘ）前記ロッド（９４）に配置する停止部材（１００）と、
（ｘｉ）前記停止部材（１００）に配置するフラップ（１０９）と
を備える、請求項３に記載のロックアセンブリ（１０）。
【請求項５】
前記後方部サブアセンブリ（４０）はさらに、
（ｘｉｉ）前記中空シリンダ（９８）に配置する突出素子（１０２）と、
（ｘｉｉｉ）前記停止部材（１００）に配置する手動アクチュエータの摘みハンドル（１０６）と、
（ｘｉｖ）前記ロッド（９４）に取り付ける付勢部材（１０８）と、
（ｘｖ）前記停止部材（１００）に配置する第１の多角形状突出素子（１１６）と、
（ｘｖｉ）前記停止部材（１００）に配置する第２の多角形状突出素子（１１８）と
を備える、請求項４に記載のロックアセンブリ（１０）。
【請求項６】
前記中間部サブアセンブリ（３０）はさらに、
（ｉｉｉ）前記外部駆動ハンドル（４４）からのトルクを転送して前記スプロケットホイール（６６）を回転させるためのスプロケットホイールシリンダであって、前記シリンダ錠形状のケーシング（５４）内部に少なくとも部分的に取り付けるスプロケットホイールシリンダ（１２０）と、
（ｉｖ）前記外部駆動ハンドルからの回転トルクを転送する位置セレクタ（１１０）の多角形凹部であって、前記シリンダ錠形状のケーシング（５４）内に少なくとも部分的に取り付ける位置セレクタ（１１０）の前記多角形凹部と
を備えるロックアセンブリにおいて、
前記後方部サブアセンブリ（４０）はさらに、
（ｉｖ）回転トルクを転送し、直線力を転送するロッド（９４）であって、前記ハウジング（５８）内部に部分的に取り付けるロッド（９４）と、
（ｖ）前記ロッド（９４）に配置するマイクロスイッチつまみ（９２）と、
（ｖｉ）前記プリント基板（８０）に配置する少なくとも１つのマイクロスイッチ（８２）と、
（ｖｉｉ）前記電気モータ（８６）に作動可能に連結するカム（８８）と、
（ｖｉｉｉ）前記電気モータ（８６）に作動可能に連結する電源（９０）と、
（ｉｘ）前記ロッド（９４）に配置する中空シリンダ（９８）と、
（ｘ）前記ロッド（９４）に配置する停止部材（１００）と、
（ｘｉ）前記停止部材（１００）に配置するフラップ（１０９）と
を備える、請求項１に記載のロックアセンブリ（１０）。
【請求項７】
前記外部駆動ハンドル（４４）を回転させることにより、前記プリント基板（８０）から特定のマイクロスイッチ（８２）を選択し、前記プッシュボタン（４８）を押すことによって選択したマイクロスイッチ（８２）が作動し、ここで正しいコードを入力すると前記電気モータ（８６）が作動し、前記電気モータ（８６）によって駆動する前記カム（８８）は前記停止部材（１００）のフラップ（１０９）の方へ回転し、前記カム（８８）が前記停止部材（１００）のフラップ（１０９）と相互作用して停止部材を回転させることによって、前記停止部材（１００）から前記中空シリンダ（９８）を解放し、前記マイクロスイッチつまみ（９２）が前記外部駆動ハンドル（４４）の方向へ動くようにし、前記外部駆動ハンドル（４４）からのトルクを転送して前記スプロケットホイール（６６）を回転させるようにする、請求項６に記載のロックアセンブリ（１０）。
【請求項８】
ロックアセンブリ（１０）の操作方法であって、
（ａ）前記ロックアセンブリ（１０）の外部駆動ハンドル（４４）を少なくとも１つの所定位置に回転させるステップと、
（ｂ）前記ロックアセンブリ（１０）のプッシュボタン（４８）を所定のコードに従って少なくとも１回押して前記ロックアセンブリ（１０）の手動アクチュエータの摘みハンドル（１０６）が前記ロックアセンブリ（１０）の突出素子（１０２）を前記ロックアセンブリ（１０）の停止部材（１００）のスリット（１０７）に入るようにし、その結果、トルクが前記ロックアセンブリ（１０）のスプロケットホイール（６６）に転送されるステップと
を含む方法。
【請求項９】
請求項８に記載のロックアセンブリ（１０）の操作方法はさらに、
（ｃ）前記ロックアセンブリ（１０）の内部駆動ハンドル（６４）を引っ張るステップと、
（ｄ）前記ロックアセンブリ（１０）のマイクロスイッチつまみ（９２）を前記ロックアセンブリ（１０）のプリント基板（８０）の方に動かし、その結果、前記ロックアセンブリ（１０）の中空シリンダ（９８）が前記ロックアセンブリ（１０）の停止部材（１００）のスリット（１０７）に入り、前記停止部材（１００）の付勢手段（１０８）が停止部材（１００）を起動させる結果、前記ロックアセンブリ（１０）の第１の多角形状突出素子（１１６）が前記ロックアセンブリ（１０）のスプロケットホイールシリンダ（１２０）に係合するのを阻止されるため、トルクが前記スプロケットホイール（６６）に転送されないステップと
を含む方法。
【発明の詳細な説明】
【技術分野】
【０００１】
本発明はロックアセンブリに関し、特にコード化したロックアセンブリに関する。
【背景技術】
【０００２】
コード化したロックアセンブリは、保護領域へのアクセスを制御するのに広く使用されている。このようなロックにより、鍵の必要性がなくなるほか、鍵を所有している場合の鍵の紛失、盗難または複製に関わる問題がなくなる。ロックに正しい組み合わせを入力すると保護領域へのアクセスが可能になり、それによってロックが解除される。
【０００３】
このようなロックアセンブリが、例えば特許文献１および特許文献２に開示されている。
特許文献１には、筐体に使用するためのロック機構が記載されている。このロック機構には、既存のロックおよびラッチが用いられ、現在では使用不可能な機構への連結を使用する機構が構成されている。この機構には、筐体のドアを閉鎖状態に保つラッチがある。このラッチは、ラッチをロックする意図的な行為が取られるまで通常アンロック状態にとどまる。配達が行われるとき、配達人は施錠されていないドアを開け、配達物を置き、その後ドアを閉め、回転式ラッチをロック位置にかかるまで左に回す。
【０００４】
特許文献２には、機械的ロック機構、ダイヤルおよび電子インターフェースを備える組み合わせロックが記載されている。機械的ロック機構は、ロック状態とアンロック状態との間を移動することができるロック部材を備えている。ダイヤルはロック機構で組み立てられ、ダイヤルを１つ以上の一連の所定の回転位置まで続けて回転させることによって、ロック機構がロック部材をロック状態からアンロック状態へ動かすようになっている。電子インターフェースは、ダイヤル位置の回転増分をこれに対応する電子信号に変換し、この電子信号を処理してこれに対応する位置増分のインジケータを表示するように構成されている。
【先行技術文献】
【特許文献】
【０００５】
【特許文献１】米国特許第６７３２６６４号明細書
【特許文献２】米国特許出願公開第２００７／００５６３３９号明細書
【発明の概要】
【発明が解決しようとする課題】
【０００６】
本発明の目的は、上記したロックアセンブリをより向上させたコード化したロックアセンブリを提供することにある。
【課題を解決するための手段】
【０００７】
本発明の教示によれば、（ｉ）プッシュボタンおよび（ｉｉ）外部駆動ハンドルを含み、外部駆動ハンドルがプッシュボタンの周囲の回転運動に適合している（ａ）前方部サブアセンブリと、（ｉ）シリンダ錠形状のケーシングおよび（ｉｉ）シリンダ錠形状のケーシングに対する回転運動に適合しているスプロケットホイールを含み、かつ、前方部サブアセンブリに対して作動可能に連結している（ｂ）中間部サブアセンブリと、（ｉ）ハウジング、（ｉｉ）ハウジング内部に取り付けるプリント基板および（ｉｉｉ）ハウジング内部に取り付ける電気モータを含み、かつ、中間部サブアセンブリに対して作動可能に連結している（ｃ）後方部サブアセンブリとを備えるロックアセンブリを提供する。
【０００８】
本発明の一実施形態のその他の特徴によれば、中間部サブアセンブリはさらに、外部駆動ハンドルからのトルクを転送してスプロケットホイールを回転させるためのスプロケットホイールシリンダであって、シリンダ錠形状のケーシング内部に少なくとも部分的に取り付ける（ｉｉｉ）スプロケットホイールシリンダと、外部駆動ハンドルからの回転トルクを転送する位置セレクタの多角形凹部であって、シリンダ錠形状のケーシング内に少なくとも部分的に取り付ける位置セレクタの（ｉｖ）多角形凹部とを備える。
【０００９】
本発明の一実施形態のもう一つの特徴によれば、後方部サブアセンブリはさらに、回転トルクを転送し、直線力を転送する（ｉｖ）ロッドであって、ハウジング内部に部分的に取り付けるロッドと、ロッドに配置する（ｖ）マイクロスイッチつまみと、プリント基板に配置する少なくとも１つの（ｖｉ）マイクロスイッチとを備える。
【００１０】
本発明の一実施形態のもう一つの特徴によれば、後方部サブアセンブリはさらに、（ｖｉｉ）電気モータに作動可能に連結するカムと、（ｖｉｉｉ）電気モータに作動可能に連結する電源と、（ｉｘ）ロッドに配置する中空シリンダと、（ｘ）ロッドに配置する停止部材と、（ｘｉ）停止部材に配置するフラップとを備える。
【００１１】
本発明の一実施形態のさらにもう一つの特徴によれば、後方部サブアセンブリはさらに、（ｘｉｉ）中空シリンダに配置する突出素子と、（ｘｉｉｉ）停止部材に配置する手動アクチュエータの摘みハンドルと、（ｘｉｖ）ロッドに取り付ける付勢部材と、（ｘｖ）停止部材に配置する第１の多角形状突出素子と、（ｘｖｉ）停止部材に配置する第２の多角形状突出素子とを備える。
【００１２】
本発明の一実施形態のさらに他の特徴によれば、外部駆動ハンドルを回転させることにより、マイクロスイッチから特定のマイクロスイッチを選択し、プッシュボタンを押すことによって選択したマイクロスイッチが作動し、ここで正しいコードを入力すると電気モータが作動し、この電気モータによって駆動するカムは停止部材のフラップの方へ回転し、カムが停止部材のフラップと相互作用して停止部材を回転させることによって、停止部材から中空シリンダを解放して、マイクロスイッチつまみが外部駆動ハンドルの方向へ動くようにし、外部ハンドルからのトルクを転送してスプロケットホイールを回転させるようにする。
【００１３】
本発明の教示によれば、（ａ）ロックアセンブリの外部駆動ハンドルを少なくとも１つの所定位置に回転させるステップと、（ｂ）ロックアセンブリのプッシュボタンを所定のコードに従って少なくとも１回押してロックアセンブリの手動アクチュエータの摘みハンドルがロックアセンブリの突出素子をロックアセンブリの停止部材のスリットに入るようにし、その結果、トルクがロックアセンブリのスプロケットホイールに転送されるステップとを含む方法が提供される。
【００１４】
本発明のさらに他の特徴によれば、ロックアセンブリの操作方法はさらに、（ｃ）ロックアセンブリの内部駆動ハンドルを引っ張るステップと、（ｄ）ロックアセンブリのマイクロスイッチつまみをロックアセンブリのプリント基板の方に動かし、その結果、ロックアセンブリの中空シリンダがロックアセンブリの停止部材のスリットに入り、停止部材の付勢手段が停止部材を起動させることによって、ロックアセンブリの第１の多角形状突出素子がロックアセンブリのスプロケットホイールシリンダに係合するのを阻止されるため、トルクがスプロケットホイールに転送されなくなるステップとを含む。
【００１５】
本発明のその他の目的および利点は、以下の説明に記載するとともに、この説明から明らかになるか、あるいは本発明の実践によって理解される。
本発明は、添付の図面を参照し、非限定的な実施例を詳述した以下の説明によって理解される。
【図面の簡単な説明】
【００１６】
【図１Ａ】本発明による機械的にコード化したロックアセンブリの一実施形態を示す等尺性の後方図。
【図１Ｂ】図１Ａの実施形態を示す等尺性の前方図。
【図２Ａ】図１Ａの実施形態を示す等尺性の前方内部の図。
【図２Ｂ】図１Ｂの実施形態を示す等尺性の後方内部の図。
【図２Ｃ】図１Ａの機械的にコード化したロックアセンブリの後方部の特定の部品を示す等尺性の図。
【図３Ａ】本発明の一実施形態による後方部を分解した等尺性の概略図。
【図３Ｂ】本発明の一実施形態による中間部を分解した等尺性の概略図。
【図３Ｃ】本発明の一実施形態による前方部を分解した等尺性の概略図。
【発明を実施するための形態】
【００１７】
以下の本発明に関する詳細な説明は、上記の図面を参照して行う。図面に示した部品および特徴の寸法は、適切または明瞭に表示するために決定したものであり、必ずしも一定の縮尺で示してはいない。可能なかぎり、図面および以下の説明文を通して、同一かつ同様の部分には同一の符号を付す。
【００１８】
本発明の少なくとも１つの実施形態を詳細に説明する前に、本発明はその適用例において、以下の説明文に記載した、または図面に示した詳細設計および部品の配置に限定されるものではないと理解すべきである。
【００１９】
特に明記しないかぎり、本明細書で使用する科学技術用語は、本発明の属する分野の一般当業者が通常理解する意味と同じ意味である。本明細書で提供する材料、寸法、方法および例は説明として用いるにすぎず、これに限定することを意図するものではない。
【００２０】
便宜上、本ロックアセンブリをドアの開放に関連して説明するが、本ロックアセンブリは錠を含め、どのような類似の機材または作業部品などとも共同して使用することができる。
【００２１】
次に、本発明のいくつかの実施形態による、機械的にコード化したロックアセンブリ１０を実寸大で示した図１Ａ、図１Ｂを参照する。機械的にコード化したロックアセンブリ１０は、前方部サブアセンブリ２０、中間部サブアセンブリ３０および後方部サブアセンブリ４０を有する。
【００２２】
前方部サブアセンブリ２０は、少なくとも１つの指を当てる側部４２、プッシュボタン４８および突出素子５０を有する外部駆動ハンドル４４を備える。前方部サブアセンブリ２０は、中間部サブアセンブリ３０から後方部サブアセンブリ４０に連結される。中間部サブアセンブリ３０は、シリンダ錠形状のケーシング５４を備える。前方部サブアセンブリ２０はドア（図示せず）の外面に設置され、中間部サブアセンブリ３０のシリンダ錠形状のケーシング５４は、標準的なドア錠（図示せず）のシリンダの開口内に配置される。
【００２３】
後方部サブアセンブリ４０は、通常ドアの内面に位置するハウジング５８内に収容され、住人が内部駆動ハンドル６４にアクセスできるようにする。内部駆動ハンドル６４に面するハウジング５８にある発光ダイオード（ＬＥＤ）７０は、機械的にコード化したロックアセンブリ１０の正常操作を表示するのに使用される。
【００２４】
次に、後方内部の等尺性の図、前方内部の等尺性の図、および後方部サブアセンブリ４０の一部の拡大図をそれぞれ示す図２Ａ〜図２Ｃを参照する。後方部サブアセンブリ４０はプリント基板（ＰＣＢ）８０を備え、この基板には複数のマイクロスイッチ８２などの電子部品が電気的に接続される。マイクロスイッチ８２は外部駆動ハンドル４４の方に向けられる。後方部サブアセンブリ４０の電気モータ８６は、カム８８を駆動するのに使用される。後方部サブアセンブリ４０はさらに、ＬＥＤ７０、電気モータ８６およびＰＣＢ８０（マイクロスイッチ８２など）に電力を供給する電池などの電源９０を備える。マイクロスイッチつまみ９２には開口９３があり、この開口をロッド９４の後方部が貫通する。つまみ９２はロッド９４に固定され、例えばこのつまみには貫通孔９６があり、ロッド９４にはつまみによって隠れる貫通孔があり、この２つの貫通孔を互いに整列させてこの孔にピン（図示せず）を配置する。ロッド９４は中空シリンダ９８内の中心に配置され、シリンダの内径はロッド９４の外径よりも大きいため、ロッド９４およびシリンダ９８は独立して回転することができる。中空シリンダ９８からは突出素子１０２が外側に向かって突出している。ロッド９４は中空シリンダ９８内を自由に回転することができる。中空シリンダ９８はケーシング（図示せず）に連結されて、シリンダ９８がロッド９４の長手軸線を中心に回転するのを防止し、ロッド９４の（長手方向の）直線運動のみが可能となるようにする。中空シリンダ９８は第２のシリンダ９９内に同軸状に配置されて、ＰＣＢ８０かハンドル４４の方向に向かシリンダ９８の直線運動を可能にする。
【００２５】
後方部サブアセンブリ４０の手動アクチュエータの摘みハンドル１０６は、停止部材１００を手動で回転させるのに使用する。回転可能な停止部材１００は手動でも回転可能であり、モータが駆動するとカム８８が回転し、カムは停止部材１００のフラップに係合して停止部材１００を回転させる。停止部材１００を、例えばバネ（図示せず）などによって右方向に回転させるように付勢して、中空シリンダ９８の突出素子１０２が停止部材１００内のスリット１０７に作動可能に入るようにする。
【００２６】
中間部サブアセンブリ３０は、ロッド９４を外部駆動ハンドル４４の方へ付勢するバネなどの付勢部材１０８を備える。例えば複数の凹部１１１を備え、付勢された突起（図示せず）と合致する位置セレクタ１１０を使用し、ハンドル４４を別々の位置に回転させ、それぞれの位置がマイクロスイッチ８２の１つと（整列して）合致するようにする。
【００２７】
操作：
（ドアの外側からのドアの開放およびロック）
機械的にコード化したロックアセンブリ１０を備えるドアの外に使用者が立っているとき、ドアを開けるために使用者は、マイクロスイッチ８２を作動させるコードを事前に知っておく必要がある。このコードは、ハンドル４４を回転させてプッシュボタン４８を押すことにより複数のマイクロスイッチ９２にスイッチが入る、あらかじめ定めた一連の文字列である。外部駆動ハンドル４４を回転させると、特定のマイクロスイッチ８２が選択され、プッシュボタン４８を押すことによって、複数のマイクロスイッチ８２から選択したマイクロスイッチが作動する。使用者がプッシュボタン４８を押すことを決めると、位置を表示する突出素子５０が、つまみ９２の現在位置および作動する特定のマイクロスイッチ８２を作動可能に決定する。使用者がマイクロスイッチ８２の正しいコードを入力すると、電気モータ８６が作動する。電気モータ８６により駆動するカム８８は、停止部材１００のフラップ１０９の方へ回転する。カム８８は、停止部材１００のフラップ１０９と相互作用し、停止部材のバネ（図示せず）によって停止部材を逆方向に回転させ、これによって中空シリンダ９８を停止部材１００から解放し、マイクロスイッチつまみ９２が付勢部材１０８を介して外部駆動ハンドル４４の方向へ動くようにする。
【００２８】
ロッド９４は、第１の多角形状突出素子１１６および第２の多角形状突出素子１１８を備える。位置セレクタ１１０の内部は、多角形凹部または第２の多角形状突出素子１１８と合致する細長い空洞（図示せず）である。スプロケットホイールシリンダ１２０には、第１の多角形状突出素子１１６と合致する多角形凹部（図示せず）がある。第２の多角形状突出素子１１８と多角形凹部の位置を選択するセレクタ１１０とが係合することにより、外部駆動ハンドル４４の回転運動からの回転トルクをマイクロスイッチつまみ９２へ転送することができる。第１の多角形状突出素子１１６とスプロケットホイールシリンダ１２０とが係合することにより、外部駆動ハンドル４４からのトルクを転送して少なくとも１つの歯を含むスプロケットホイール６６を回転させることができる。第１の多角形状突出素子１１６およびスプロケットホイールシリンダ１２０は、つまみ９２が外部駆動ハンドル４４の方へ動くと係合する。突出素子１０２とスプロケットホイールシリンダ１２０とが係合すると、スプロケットホイール６６は外部駆動ハンドル４４の回転に従って回転し、スプロケットホイール６６はドア錠（図示せず）の内部機構に作動可能に係合してドアをロック（またはアンロック）する。
【００２９】
ドアの外側からドアをロックする際に使用者はプッシュボタン４８を押し、マイクロスイッチつまみ９２をＰＣＢ８０の方へ動かした結果、中空シリンダ９８は停止部材１００のスリット１０７を通過する。これと同時に、停止部材１００の付勢手段（図示せず）は、停止部材を左に回転させる。使用者がプッシュボタン４８を押すのを止めると、外部駆動ハンドル４４の方へ付勢されているマイクロスイッチつまみ９２は解放されて外部駆動ハンドル６４の方へ動く。しかしながら、停止部材１００が例えば左に回転する結果、中空シリンダ９８は停止部材１００のスリット１０７に入ることができず、第１の多角形状突出素子１１６はスプロケットホイールシリンダ１２０と係合しないため、トルクはスプロケットホイール６６に転送されない。
（ドアの内側からのドアの開放およびロック）
内側からドアを開けるには、使用者は手動アクチュエータの摘みハンドル１０６を右に回転させ、それによって突出素子１０２は停止部材１００のスリット１０７に入ることができ、その結果、内部駆動ハンドル６４によってトルクをスプロケットホイール６６に伝えることができる。
【００３０】
内側からドアをロックするには、使用者は内部駆動ハンドル６４を引っ張る。こうすることによって、マイクロスイッチつまみ９２はＰＣＢ８０の方へ動き、その結果、中空シリンダ９８は停止部材１００のスリット１０７へ入り、停止部材１００の付勢手段（図示せず）は停止部材１００を例えば左に回転させる。その結果、第１の多角形状突出素子１１６はスプロケットホイールシリンダ１２０には係合しないため、トルクはスプロケットホイール６６には伝えられない。
【００３１】
図３Ａは、本発明の一実施形態による後方部サブアセンブリ４０を分解した等尺性の概略図である。
図３Ｂは、本発明の一実施形態による中間部サブアセンブリ３０を分解した等尺性の概略図である。
【００３２】
図３Ｃは、本発明の一実施形態による前方部サブアセンブリ２０を分解した等尺性の概略図である。
上記の説明は単なる例示にすぎず、本発明には必要な変更を加えて考案できるさまざまな実施形態があること、および上記の実施形態で説明した特徴およびここに記載していない特徴を別々にまたは適切に組み合わせて使用してもよいことを理解すべきである。また、本発明は、上記以外の実施形態に従って考案してもよい。
【符号の説明】
【００３３】
１０…機械的にコード化したロックアセンブリ、２０…前方部サブアセンブリ、３０…中間部サブアセンブリ、４０…後方部サブアセンブリ、４２…指を当てる側部、４４…外部駆動ハンドル、４８…プッシュボタン、５０…位置を表示する突出素子、５４…シリンダ錠形状のケーシング、５８…ハウジング、６４…内部駆動ハンドル、６６…スプロケットホイール、７０…発光ダイオード（ＬＥＤ）、８０…プリント基板（ＰＣＢ）、８２…マイクロスイッチ、８６…電気モータ、８８…カム、９０…電源、９２…マイクロスイッチつまみ、９３…開口、９４…ロッド、９６…貫通孔、９８…中空シリンダ、９９…第２のシリンダ、１００…停止部材、１０２…突出素子、１０６…手動アクチュエータの摘みハンドル、１０７…スリット、１０８…付勢部材、１０９…フラップ、１１０…位置セレクタ、１１１…凹部、１１６…第１の多角形状突出素子、１１８…第２の多角形状突出素子、１２０…スプロケットホイールシリンダ、１２２…継続器、１２３…コード変更用のタッチスイッチ
【図１Ａ】
2013527342.tif 000003
【図１Ｂ】
2013527342.tif 000004
【図２Ａ】
2013527342.tif 000005
【図２Ｂ】
2013527342.tif 000006
【図２Ｃ】
2013527342.tif 000007
【図３Ａ】
2013527342.tif 000008
【図３Ｂ】
2013527342.tif 000009
【図３Ｃ】
2013527342.tif 000010
【国際調査報告】
2013527342.tif 000011